【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
自律型掃除ロボットを動作させる方法であって、
携帯型コンピューティングデバイスで、ゴミを収集するための自律型掃除ロボットの容器のステータスであって、容器満杯読取を含む前記容器のステータスを表すデータを受信することと、
前記携帯型コンピューティングデバイスで、排出ステーションのフィルタ袋のステータスであって、袋満杯読取を含む前記フィルタ袋のステータスを表すデータを受信することと、
前記携帯型コンピューティングデバイスのディスプレイに、前記容器のステータスおよびフィルタ袋のステータスに基づいて、ユーザに対する条件付きで選択可能なユーザインターフェース制御手段を提示することと、を含み、前記ユーザインターフェース制御手段は、選択可能であれば、ユーザが自律型掃除ロボットを起動して、掃除を続けるか、または排出ステーションにドッキングして容器を空にすることを可能にし、選択不能であれば、ユーザは自律型掃除ロボットを起動して、掃除を続けるか、または排出ステーションにドッキングして容器を空にすることができない、
方法。
【請求項２】
前記携帯型コンピューティングデバイスのディスプレイに、前記容器満杯読取を表す第１のステータスインジケータを提示することをさらに含む、請求項１に記載の方法。
【請求項３】
前記携帯型コンピューティングデバイスのディスプレイに、前記袋満杯読取を表す第２のステータスインジケータを提示することをさらに含む、請求項１に記載の方法。
【請求項４】
前記携帯型コンピューティングデバイスから前記自律型掃除ロボットへの送信を開始することをさらに含み、前記送信が、前記自律型掃除ロボットを前記排出ステーションにドッキングさせて、前記容器を空にさせるデータを含む、請求項１に記載の方法。
【請求項５】
前記携帯型コンピューティングデバイスで、前記自律型掃除ロボットから、前記容器が空だという通知を受信することをさらに含む、請求項１に記載の方法。
【請求項６】
前記容器を空にした事例の回数を表す計数を、前記携帯型コンピューティングデバイスの前記ディスプレイに提示することをさらに含む、請求項１に記載の方法。
【請求項７】
前記自律型掃除ロボットへの送信を開始することをさらに含み、前記送信が、前記容器満杯読取が前記容器が満杯であることを示すときに前記自律型掃除ロボットに掃除を継続させるデータを含む、請求項１に記載の方法。
【請求項８】
前記自律型掃除ロボットへの送信を開始することをさらに含み、前記送信が、１つまたは複数の条件が満たされたことに基づいて、前記自律型掃除ロボットを前記排出ステーションにドッキングさせて、前記容器を空にさせるデータを含む、請求項１に記載の方法。
【請求項９】
前記排出ステーションによって前記自律型掃除ロボットの前記容器を空にする完了度を示すように構成された進度図形を、前記携帯型コンピューティングデバイスの前記ディスプレイに提示することをさらに含む、請求項１に記載の方法。
【請求項１０】
前記排出ステーションで前記自律型掃除ロボットの前記容器を空にするために経過した時間量を表す時間インジケータを、前記携帯型コンピューティングデバイスの前記ディスプレイに提示することをさらに含む、請求項１に記載の方法。
【請求項１１】
前記携帯型コンピューティングデバイスで受信された、前記自律型掃除ロボットの前記容器の前記ステータスを表す前記データが、前記自律型掃除ロボットから受信される、請求項１に記載の方法。
【請求項１２】
前記携帯型コンピューティングデバイスで受信された、前記排出ステーションの前記フィルタ袋の前記ステータスを表す前記データが、前記自律型掃除ロボットから受信される、請求項１に記載の方法。
【請求項１３】
携帯型コンピューティングデバイスであって、
１つまたは複数の入力と、
ディスプレイと、
プロセッサと、を備え、前記プロセッサが、
ゴミを収集するための自律型掃除ロボットの容器のステータスであって、容器満杯読取を含む前記容器のステータスを表すデータを受信し、
排出ステーションのフィルタ袋のステータスであって、袋満杯読取を含む前記フィルタ袋のステータスを表すデータを受信し、
前記携帯型コンピューティングデバイスのディスプレイに、前記容器のステータスおよびフィルタ袋のステータスに基づいて、ユーザに対する条件付きで選択可能なユーザインターフェース制御手段を提示するように構成されていて、前記ユーザインターフェース制御手段は、選択可能であれば、ユーザが自律型掃除ロボットを起動して、掃除を続けるか、または排出ステーションにドッキングして容器を空にすることを可能にし、選択不能であれば、ユーザは自律型掃除ロボットを起動して、掃除を続けるか、または排出ステーションにドッキングして容器を空にすることができない、
携帯型コンピューティングデバイス。
【請求項１４】
前記プロセッサが、前記容器満杯読取を表す第１のステータスインジケータを提示するようにさらに構成されている、請求項１３に記載の携帯型コンピューティングデバイス。
【請求項１５】
前記プロセッサが、前記袋満杯読取を表す第２のステータスインジケータを提示するようにさらに構成されている、請求項１３に記載の携帯型コンピューティングデバイス。
【請求項１６】
前記プロセッサがさらに、前記自律型掃除ロボットへの送信を開始するように構成され、前記送信が、前記自律型掃除ロボットを前記排出ステーションにドッキングさせて、前記容器を空にさせるデータを含む、請求項１３に記載の携帯型コンピューティングデバイス。
【請求項１７】
前記プロセッサがさらに、前記自律型掃除ロボットから、前記容器が空だという通知を受信するように構成されている、請求項１３に記載の携帯型コンピューティングデバイス。
【請求項１８】
前記プロセッサがさらに、前記容器を空にした事例の回数を表す計数を、前記ディスプレイに提示するように構成されている、請求項１３に記載の携帯型コンピューティングデバイス。
【請求項１９】
前記プロセッサがさらに、前記排出ステーションで前記自律型掃除ロボットの前記容器を空にするために経過した時間量を表す時間インジケータを、前記携帯型コンピューティングデバイスの前記ディスプレイに提示するように構成されている、請求項１３に記載の携帯型コンピューティングデバイス。
【請求項２０】
前記プロセッサがさらに、前記自律型掃除ロボットへの送信を開始するように構成され、前記送信が、前記容器満杯読取が前記容器が満杯であることを示した後に前記自律型掃除ロボットに掃除を継続させるデータを含む、請求項１３に記載の携帯型コンピューティングデバイス。
【請求項２１】
前記プロセッサがさらに、前記自律型掃除ロボットへの送信を開始するように構成され、前記送信が、１つまたは複数の条件が満たされたことに基づいて、前記自律型掃除ロボットを前記排出ステーションにドッキングさせて、前記容器を空にさせるデータを含む、請求項１３に記載の携帯型コンピューティングデバイス。
【請求項２２】
前記プロセッサがさらに、前記排出ステーションによって前記自律型掃除ロボットの前記容器を空にする完了度を示すように構成された進度図形を、前記携帯型コンピューティングデバイスの前記ディスプレイに提示するように構成されている、請求項１３に記載の携帯型コンピューティングデバイス。
【請求項２３】
前記プロセッサが、前記自律型掃除ロボットの前記容器の前記ステータスを表す前記データを前記自律型掃除ロボットから受信するように構成されている、請求項１３に記載の携帯型コンピューティングデバイス。
【請求項２４】
前記プロセッサが、前記排出ステーションの前記フィルタ袋の前記ステータスを表す前記データを、前記自律型掃除ロボットから受信するように構成されている、請求項１３に記載の携帯型コンピューティングデバイス。